【手続補正書】
【提出日】平成20年5月30日(2008.5.30)
【手続補正１】
【補正対象書類名】特許請求の範囲
【補正対象項目名】全文
【補正方法】変更
【補正の内容】
【特許請求の範囲】
【請求項１】
ランプ収納用開口と光照射用開口が形成されているとともに内面が鏡面加工されているリフレクタと、
光を放射するバルブと前記バルブに電極を案内する電極導入部とが備えられた前記収納用開口から前記リフレクタ内に挿入されるとともに前記バルブから放射されて前記リフレクタの内壁により反射された放射光の焦点位置が前記電極導入部上に位置しないように前記バルブが配置された光源と、
前記光源から放射された光を集光すると共に前記光源から放射された光の光軸上に位置するように配置された異形レンズと、
前記異形レンズから放射された光を集光するレンズと、
を備えることを特徴とする光源ユニット。
【請求項２】
前記異形レンズは、
一方のレンズ面は、前記一方のレンズ面の中心部側に形成された膨出部、及び前記膨出部に連続して前記一方のレンズ面の中心部側に形成されていると共に中心部が窪むように形成された凹面部から形成され、
他方のレンズ面は、前記他方のレンズ面の中心部側に向かって膨出するように形成されていると共に、前記中心部が窪むように形成されている膨出部から形成されていること
を特徴とする請求項１に記載の光源ユニット。
【請求項３】
前記異形レンズと前記レンズとの間に、前記異形レンズから放射された光が前記レンズに照射されるよう反射する反射用ミラーを備えることを特徴とする請求項１又は請求項２に記載の光源ユニット。
【請求項４】
ランプ収納用開口と光照射用開口が形成されていると共に内面が鏡面加工されているリフレクタと、
光を放射するバルブと前記バルブに電極を案内する電極導入部とが備えられた前記収納用開口から前記リフレクタ内に挿入されるとともに前記バルブから放射されて前記リフレクタの内壁により反射された放射光の焦点位置が前記電極導入部上に位置しないように前記バルブが配置された光源と、
前記光源から放射された光を集光すると共に前記光源から放射された光の光軸上に位置するように配置された異形レンズと、
前記異形レンズから放射された光を集光するレンズと、
を備える光源ユニットと、
前記レンズから出射された光を所定の色の光に変換するカラーホイールと、
前記レンズから出射された光を案内するミラートンネルと、
前記ミラートンネルから出射された光を集光する集光用レンズと、
前記集光用レンズから出射された光を受けて画像を映写するマイクロミラー素子と、
前記マイクロミラー素子から映写された画像を拡大する投影レンズと、
を備えることを特徴とするプロジェクタ装置。
【請求項５】
前記異形レンズは、
一方のレンズ面は、前記一方のレンズ面の中心部側に形成された膨出部、及び前記膨出部に連続して前記一方のレンズ面の中心部側に形成されていると共に中心部が窪むように形成された凹面部から形成され、
他方のレンズ面は、前記他方のレンズ面の中心部側に向かって膨出するように形成されていると共に、前記中心部が窪むように形成されている膨出部から形成されていること
を特徴とする請求項４に記載のプロジェクタ装置。
【請求項６】
前記異形レンズと前記レンズとの間に、前記異形レンズから放射された光が前記レンズに照射されるよう反射する反射用ミラーを備えることを特徴とする請求項４又は請求項５に記載のプロジェクタ装置。
【手続補正２】
【補正対象書類名】明細書
【補正対象項目名】０００９
【補正方法】変更
【補正の内容】
【０００９】
上記課題を解決するため、請求項１に記載の光源ユニットは、ランプ収納用開口と光照射用開口が形成されているとともに内面が鏡面加工されているリフレクタと、光を放射するバルブと前記バルブに電極を案内する電極導入部とが備えられた前記収納用開口から前記リフレクタ内に挿入されるとともに前記バルブから放射されて前記リフレクタの内壁により反射された放射光の焦点位置が前記電極導入部上に位置しないように前記バルブが配置された光源と、前記光源から放射された光を集光すると共に前記光源から放射された光の光軸上に位置するように配置された異形レンズと、前記異形レンズから放射された光を集光するレンズと、を備えることを特徴とする。
【手続補正３】
【補正対象書類名】明細書
【補正対象項目名】００１１
【補正方法】変更
【補正の内容】
【００１１】
また、請求項３に記載の光源ユニットは、前記異形レンズと前記レンズとの間に、前記異形レンズから放射された光が前記レンズに照射されるよう反射する反射用ミラーを備えることを特徴とする。
【手続補正４】
【補正対象書類名】明細書
【補正対象項目名】００１２
【補正方法】変更
【補正の内容】
【００１２】
請求項４に記載のプロジェクタ装置は、ランプ収納用開口と光照射用開口が形成されていると共に内面が鏡面加工されているリフレクタと、光を放射するバルブと前記バルブに電極を案内する電極導入部とが備えられた前記収納用開口から前記リフレクタ内に挿入されるとともに前記バルブから放射されて前記リフレクタの内壁により反射された放射光の焦点位置が前記電極導入部上に位置しないように前記バルブが配置された光源と、前記光源から放射された光を集光すると共に前記光源から放射された光の光軸上に位置するように配置された異形レンズと、前記異形レンズから放射された光を集光するレンズと、を備える光源ユニットと、前記レンズから出射された光を所定の色の光に変換するカラーホイールと、前記レンズから出射された光を案内するミラートンネルと、前記ミラートンネルから出射された光を集光する集光用レンズと、前記集光用レンズから出射された光を受けて画像を映写するマイクロミラー素子と、前記マイクロミラー素子から映写された画像を拡大する投影レンズと、を備えることを特徴とする。
【手続補正５】
【補正対象書類名】明細書
【補正対象項目名】００１３
【補正方法】変更
【補正の内容】
【００１３】
また、請求項５に記載のプロジェクタ装置は、前記異形レンズは、一方のレンズ面は、前記一方のレンズ面の中心部側に形成された膨出部、及び前記膨出部に連続して前記一方のレンズ面の中心部側に形成されていると共に中心部が窪むように形成された凹面部から形成され、他方のレンズ面は、前記他方のレンズ面の中心部側に向かって膨出するように形成されていると共に、前記中心部が窪むように形成されている膨出部から形成されていることを特徴とする。
【手続補正６】
【補正対象書類名】明細書
【補正対象項目名】００１４
【補正方法】変更
【補正の内容】
【００１４】
また、請求項６に記載のプロジェクタ装置は、前記異形レンズと前記レンズとの間に、前記異形レンズから放射された光が前記レンズに照射されるよう反射する反射用ミラーを備えることを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】変更
【補正の内容】
【００１９】
本発明によれば、光の利用効率をあげることができると共に、リフレクタの小型化ができる。
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】